(57)【要約】【要  約】【課  題】  搬器を牽引するロープから支柱に加わる荷重を増大せずに、搬器の通過時に索輪でロープを受ける受圧索装置および／または受圧索装置で受けられたロープから滴下した衣類を汚す汚れ物質がその下方を通過する乗客に付着することを防止可能なスキーリフトの支柱を提供する。【解決手段】  支柱の所定箇所に、受索装置と圧索装置を総称する受圧索装置および／または受圧索装置で受けられたロープから衣類に付着して汚れとなる汚れ物質が滴下したときに受ける汚れ物質受け装置が設けられている。【選択図】        図１
2005313668.tif 000002
【特許請求の範囲】
【請求項１】
空中に懸架されたロープを牽引し、該ロープに牽引される搬器によりスキー客や観光客などの客を運ぶためのスキーリフトの支柱であって、該支柱は、索輪の上部で接触するロープを受ける受索装置と索輪の下部で接触するロープを受ける圧索装置の両方、もしくはどちらか一方を有し、該支柱の所定箇所に、受索装置と圧索装置を総称する受圧索装置および／または受圧索装置で受けられたロープから衣類に付着して汚れとなる汚れ物質が滴下したときに受ける汚れ物質受け装置が設けられていることを特徴とするスキーリフトの支柱。
【請求項２】
前記汚れ物質受け装置が汚れ物質通路と貯留ピットを備えてなることを特徴とする請求項１に記載のスキーリフトの支柱。
【請求項３】
前記汚れ物質受け装置が、前記索輪でロープを受ける受圧索装置の下方に近接して配置されていることを特徴とする請求項１または２に記載のスキーリフトの支柱。
【請求項４】
前記索輪でロープを受ける受圧索装置が、溝を形成したゴム製の外輪を有し、側面を鋼製のエンドプレートで補強されている索輪を有することを特徴とする請求項１〜３のいずれかに記載のスキーリフトの支柱。
【請求項５】
前記索輪でロープを受ける受圧索装置が、８輪の索輪を有し、２輪ずつ２輪受け部材に回転自在に取り付けられ、２輪受け部材は連結部により４輪受け部材に連結され、この４輪受け部材が山頂側と山麓側に一つずつ牽引方向に対して対称配置され、その中央部を連結部により８輪受け部材の両端に連結されて構成されていると共に、各連結部に給脂口を有することを特徴とする請求項１〜４のいずれかに記載のスキーリフトの支柱。
【請求項６】
前記索輪でロープを受ける受圧索装置が、偶数個の索輪を有し、牽引方向中央を境として対称な受け部材により前記索輪を受けると共に、その中央部に設けた、該受け部材を支柱の水平部材に対して傾斜可能に連結するための連結部に給脂口を有することを特徴とする請求項１〜５のいずれかに記載のスキーリフトの支柱。
【発明の詳細な説明】
【技術分野】
【０００１】
本発明は、索道装置のうち、空中に懸架されたロープを牽引し、該ロープに牽引される搬器によりスキー客や観光客あるいは物品を運ぶためのスキーリフトの支柱に関する。
【背景技術】
【０００２】
空中に懸架されたロープにより搬器を牽引する装置は一般に索道装置と称されるが、その中には、扉を有する箱体内に乗客を乗せて搬送を行うものと、箱体を有せず、腰掛け部材に乗客を座らせて搬送を行うものとがある。後者は、一般にスキーリフトと呼ばれ、冬季においてはスキー客や観光客に広く利用され、それ以外の季節においては、登山客や観光客に利用されることもある。また乗客を乗せる腰掛け部材に物品を乗せ、運ぶことにも利用される。
【０００３】
このようなスキーリフトは、例えば図6-1に示す如く、乗客や物品を運ぶ搬送経路途中の地面１１１に設置された複数の支柱１０２を有し、搬器１０１を牽引するロープ１０７が掛け渡されている。この支柱１０２は、索輪１０８を介してロープ１０７を受ける構造とするのが普通であり、図示しない受索装置と圧索装置の両方、もしくはどちらか一方を有する。図6-1中、山麓側駅に最も近い支柱１０２は、索輪１０８の下部で接触するロープ１０７を受ける圧索装置を有し、それ以外の支柱１０２は、索輪１０８の上部で接触するロープ１０７を受ける受索装置を有する。図6-2は、図示しない受索装置と圧索装置の両方を有する支柱１０２を示す概略図であって、搬器１０１を牽引するロープ１０７は、索輪１０８を介して図示しない受索装置と圧索装置の両方で受けられている。
【０００４】
ここで、受索装置と圧索装置は、その分野では受圧索装置と総称されている。
【０００５】
ロープ１０７は、山麓側駅に設置されたホイール１０９と山頂側駅に設置されたホイール１１０間に張設されている。そして、スキー客や観光客あるいは物品の輸送は、空中に懸架されたロープ１０７を駆動装置により牽引することにより行われる。その際、搬器１０１を牽引するロープ１０７と索輪１０８との接触により生じたゴム摩耗粉を含む水分や、使用中の金属摩耗粉を含む油脂類が索輪１０８でロープ１０７を受ける受圧索装置などから滴下する場合がある。
【０００６】
このようなスキーリフトは、冬季ではスキー客や観光客が良く利用するため、前記ゴム摩耗粉を含む水分や、使用中の金属摩耗粉を含む油脂類がスキー客や観光客の衣類に付着して汚す機会が増える。このため、従来のスキーリフトでは、利用客から衣類が汚れて困るという苦情が寄せられることがあった。
【０００７】
ところで、本発明者らは、搬器の現在位置に合わせたタイムリーな案内を視覚、聴覚の両方で行えるスキーリフト用の支柱を提案した（特許文献１）。
【特許文献１】登録実用新案第３０８９０４１号
【発明の開示】
【発明が解決しようとする課題】
【０００８】
しかしながら、受索装置から衣類を汚す汚れ物質が滴下する時を予測するのは極めて難しく、特許文献１記載の従来のスキーリフトでは、乗客に対してタイムリーな案内を出すのは困難である。
【０００９】
また、従来のスキーリフトにおいては、笠状の屋根を搬器に取り付ける改造を行い、受索装置から滴下した衣類を汚す汚れ物質が乗客に付着しないようにしようとすると、既設装置では、搬器自体の重量が増える改造となるため、許可が必要となる。
【００１０】
本発明は、係る問題を解消し、搬器を牽引するロープから支柱に加わる荷重を増大せずに、搬器の通過時に索輪でロープを受ける受圧索装置および／または受圧索装置で受けられたロープから滴下した衣類を汚す汚れ物質がその下方を通過する乗客に付着することを防止可能なスキーリフトの支柱を提供することを目的とする。
【課題を解決するための手段】
【００１１】
本発明は、空中に懸架されたロープを牽引し、該ロープに牽引される搬器によりスキー客や観光客などの客を運ぶためのスキーリフトの支柱であって、該支柱は、索輪の上部で接触するロープを受ける受索装置と索輪の下部で接触するロープを受ける圧索装置の両方、もしくはどちらか一方を有し、該支柱の所定箇所に、受索装置と圧索装置を総称する受圧索装置および／または受圧索装置で受けられたロープから衣類に付着して汚れとなる汚れ物質が滴下したときに受ける汚れ物質受け装置が設けられていることを特徴とするスキーリフトの支柱である。
【００１２】
また本発明は、前記汚れ物質受け装置が汚れ物質通路と貯留ピットを備えてなることが好ましく、また前記汚れ物質受け装置が、前記索輪でロープを受ける受圧索装置の下方に近接して配置されていることが好ましい。
【００１３】
また本発明は、前記索輪でロープを受ける受圧索装置が、溝を形成したゴム製の外輪を有し、側面を鋼製のエンドプレートで補強されている索輪を有することが好ましい。また本発明は、前記索輪でロープを受ける受圧索装置が、８輪の索輪を有し、２輪ずつ２輪受け部材に回転自在に取り付けられ、２輪受け部材は連結部により４輪受け部材に連結され、この４輪受け部材が山頂側と山麓側に一つずつ牽引方向に対して対称配置され、その中央部を連結部により８輪受け部材の両端に連結されて構成されていると共に、各連結部に給脂口を有することが好ましく、また本発明は、前記索輪でロープを受ける受圧索装置が、偶数個の索輪を有し、牽引方向中央を境として対称な受け部材により前記索輪を受けると共に、その中央部に設けた、該受け部材を支柱の水平部材に対して傾斜可能に連結するための連結部に給脂口を有することが好ましい。
【００１４】
ここで本発明にいう受圧索装置とは、索輪の上部で接触するロープを受ける受索装置と、索輪の下部で接触するロープを受ける圧索装置の総称である。
【発明の効果】
【００１５】
本発明によれば、搬器を牽引するロープから支柱に加わる荷重を増大せず、搬器の通過時に、索輪でロープを受ける受圧索装置および／または受圧索装置で受けられたロープから滴下した衣類を汚す汚れ物質がその下方を通過する乗客に付着することを防止可能である。
【発明を実施するための最良の形態】
【００１６】
本発明を山麓側駅と山頂側駅間の搬送経路途中に複数の支柱を有するスキーリフトに適用した場合について図を用いて説明する。
【００１７】
図１は、本発明の実施の形態に係るスキーリフトの一つの支柱２を示す正面図であり、図2-1は、図１の支柱２を示す左側面図である。また図2-2は、本発明の実施の形態に係るスキーリフトの一つの支柱２に設けた汚れ物質受け装置４を示す斜視図である。
【００１８】
図３には、本発明の実施の形態に係るスキーリフトの支柱２に設けた受索装置３の全体図を示す。この場合、スキーリフトの支柱２は、索輪８の上部で接触するロープ７を受ける受索装置３を有するが、本発明は、索輪８の下部で接触するロープ７を受ける圧索装置を有する支柱、もしくは受索装置３と圧索装置の両方を有する支柱にも適用できる。
【００１９】
図１、図2-1において、符号１は、空中に懸架されたロープ７により牽引されるスキーリフトの搬器を示す。スキーリフトの搬器１は、乗客が一人から数人程度腰掛けることができる広さの腰掛け部材と、この腰掛け部材に接続した吊り下げ具５を有し、握索部６または握索装置によりロープ７を握索している。握索装置とは、搬器１がロープ７を掴んだり、放したりすることが可能に構成した装置であり、握索部６とは、搬器１を吊り下げている吊り下げ具５の上端部でロープ７を掴んだままとした部分である。
【００２０】
この場合、スキーリフトは、一般的に採用されているように吊り下げ具５の上端部でロープ７を掴んだままとする握索部６としたが、本発明において、搬器１はどちらの方式によりロープ７を握索しても良い。スキーリフトの支柱２には、図１、図2-1に示す如く、索輪８の上部で接触するロープ７を受ける受索装置３が取り付けてあって、搬器１はこの受索装置３の下方を通過する。図１中、符号３０は、受索装置３を支柱２の水平部材１２に取り付ける受索装置取り付け部を示す。また図2-1中、矢印９は牽引方向を示す。
【００２１】
実施の形態に係るスキーリフトのロープ７は、山麓側駅に設置されたホイールと山頂側駅に設置されたホイール間に張設され、また複数の支柱２が山麓側駅と山頂側駅との搬送経路途中に設置されている。そして、一方側の駆動装置を備えたホイールを回転させ、他方側のホイールを従動回転させることにより、スキー客や観光客あるいは物品の輸送を行うように構成されている。一般にスキーリフトにおいては、ロープ７に沿って複数の搬器１が等間隔に配置されている。
【００２２】
本発明の実施の形態に係るスキーリフトの支柱２には、支柱２の所定箇所に、図2-2のような汚れ物質受け装置４が設けられている。この汚れ物質受け装置４は、上方に開口部を有し、汚れ物質を受ける皿状に形成するのが好ましく、また、汚れ物質通路４Ａと地面近くに設けた貯留ピット４Ｂを備えるが好ましい。皿状に形成された汚れ物質受け装置４は、図１に示した如く、受け装置取り付けアーム１１により支柱２の水平部材１２に取り付けられている。また、汚れ物質通路４Ａは、適宜な材料のパイプを用い、前記皿状に形成された汚れ物質受け装置４で受けた汚れ物質を、貯留ピット４Ｂ内へ導くことができるように形成されている。
【００２３】
このように構成すると、搬器１を牽引するロープ７と索輪８との接触により生じたゴム摩耗粉を含む水分や、使用中の金属摩耗粉を含む油脂類が索輪８でロープ７を受ける受索装置３から滴下し、滴下した衣類を汚す汚れ物質によりスキーゲレンデが汚れるのを防止できるので好ましい。また、受け装置取り付けアーム１１は、牽引方向９に沿って複数本配置し、汚れ物質受け装置４を支柱２の水平部材１２に確実に取り付けるのが好ましい。
【００２４】
なお、既設のスキーリフトを改造することにより汚れ物質受け装置４を支柱２の所定箇所に設ける場合には、索輪８および受索装置３の保守・点検用に設置されている点検用足場部材を用いることができる。
【００２５】
汚れ物質受け装置４を設ける位置は、受索装置３の下方であって、できるだけ受索装置３に近接させて設けるのが好ましい。汚れ物質受け装置４を設ける位置が索輪８でロープ７を受ける受索装置３から下方に離隔するほど、風がある時に、受索装置３から滴下した汚れ物質を汚れ物質受け装置４で受けるには、汚れ物質受け装置４が大きくなってしまうからである。
【００２６】
その際、汚れ物質受け装置４の上方から見た大きさ、すなわち、図2-2に示した如く、汚れ物質受け装置４の牽引方向９に沿って測った長さＬ、牽引直角方向へ測った幅Ｗは、それそれ受索装置３の牽引方向９に沿って測った長さ以上とし、受索装置３の牽引直角方向へ測った幅以上とするのが、受索装置３から滴下した汚れ物質を確実に汚れ物質受け装置４で受けることができるので好ましい。汚れ物質受け装置４は、例えば、適宜な耐食性に優れた鋼板を用い、皿状に成形することにより得ることができる。汚れ物質通路４Ａは、鋼板を成形したパイプを用いるのが安価で施工が容易であり好ましい。貯留ピット４Ｂは、汚れ物質通路途中又は地面付近に設ける。
【００２７】
但し、支柱２の所定箇所に汚れ物質受け装置４を設ける際には、受索装置３の下方近くに設けるのが好ましいが、スキーリフトの使用時に、ロープ７に牽引される搬器１が支柱２を通過するときに搬器１と干渉しないように、その大きさおよび設置位置を勘案することが重要である。
【００２８】
上述した本発明の実施の形態に係るスキーリフトの支柱２の作用について冬季の場合を例に詳述する。
【００２９】
冬季におけるリフト利用形態として多いのは、スキー客が山麓側駅から搬器１に乗り、搬送経路途中に設置された複数の支柱２を順次通過し、山頂側駅で降り、スキーゲレンデを滑って山麓側駅に到達し、またスキーリフトを利用することを繰り返す形態である。
【００３０】
スキー客は、山麓側駅に到達した搬器１の腰掛け部材に腰を掛け、その状態でロープ７により牽引されて山頂側駅に向かう搬送経路途中において、支柱２に取り付けられた受索装置３の下方を通過する。その際、衣類に付着して汚れとなる汚れ物質が受索装置３から滴下する場合があるが、そのようなことが発生しても、支柱２の所定箇所に、衣類に付着して汚れとなる汚れ物質が受索装置３から滴下したときに受ける汚れ物質受け装置４が設けられているから、滴下した汚れ物質を搬器に腰掛けたスキー客に到達する前に付着汚れ物質受け装置４で受けることができる。なお、図１、２中には、乗客が乗っていない搬器１を示す。
【００３１】
したがって、本発明によれば、搬器１を牽引するロープ７から支柱２に加わる荷重を増大せずに、受索装置３から滴下した衣類を汚す汚れ物質が受索装置３の下方を通過する乗客の衣類に付着することを防止可能である。
【００３２】
また冬季においてはスキーリフトを既に利用したスキー客がスキーゲレンデを滑降し、支柱２の近くを通過することもあるが、このような場合でも本発明によれば、支柱２の近くを通過するスキーリフトを既に利用したスキー客の衣類が受索装置３から滴下した汚れ物質により汚れることが防止可能である。
【００３３】
ここで、本発明の実施の形態に係るスキーリフトの支柱２に設けて好適な受索装置３を図３に示した受索装置３の全体図に基づき、適宜、図４、図５を参照しつつ説明する。
【００３４】
支柱２に設けて好適な索輪８でロープ７を受ける受索装置３は、図３に示した如く、８輪の索輪８を備えている。８輪の索輪８は、図４に示した如く、２輪ずつ２輪受け部材３１に回転自在に取り付けられ、２輪受け部材３１は連結部３５により４輪受け部材３２に連結され、この４輪受け部材３２が山頂側と山麓側に一つずつ牽引方向に対して対称配置され、その中央部を連結部３６により８輪受け部材３３の両端に連結されて構成されている。結局、偶数個の８輪の索輪８は、牽引方向中央を境として対称な８輪受け部材３３により受けられている。この８輪受け部材３３の中央部には、該受け部材を支柱の水平部材に対して傾斜可能に連結するための連結部３７が設けてある。
【００３５】
ここで、各索輪８としては、溝を形成したゴム製の外輪を鋼製の内輪部材に取り付け、さらに側面を鋼製のエンドプレートで補強し、鋼製の内輪部材にころ軸受を内装した索輪を用いるのが好ましい。この理由は、索輪８でロープ７を受ける受索装置３が、溝を形成したゴム製の外輪を有し、側面を鋼製のエンドプレートで補強されている索輪を有することにより、搬器１を牽引するロープ７が索輪８上を移動する時に発生する騒音を小さくすることができ、かつ溝を形成したゴム製の外輪によりロープ７の摩耗を少なくすることができるからである。
【００３６】
なお、山頂側の２輪受け部材３１と、山麓側の２輪受け部材３１には、内脱索防止部材３４が溶接等により接合されているのが望ましく、また、８輪受け部材３３の連結部３７の中心を境として牽引方向９に対して対称配置される４輪受け部材３２には、外脱索受け３８が締結ねじによって取り付けられているのが望ましい。
【００３７】
図３に示した如く、２輪受け部材３１の中央部と４輪受け部材３２の両端部との連結部３５、および４輪受け部材３２の中央部と８輪受け部材３３の両端部との連結部３６は、図４、図５に示した如く、各部材に固定した外筒４１内に、内筒４２を装着し、内筒４２に挿入した六角ボルト４４を締め付けることにより、各部材が回動可能に連結されている。また、８輪受け部材３３を水平部材１２に対して傾斜可能に連結する連結部３７は、図５において中央に示した如く、８輪受け部材３３の中央部に固定した外筒５１内に、円柱状の軸５２を挿入し、反対側からエンドプレートを取り付けることにより、８輪受け部材３３が円柱状の軸５２と一体の受索装置取り付け部３０に対して回動可能に連結されている。
【００３８】
ここで、受索装置取り付けボルト５６は、受索装置取り付け部３０を支柱２の水平部材１２に水平に取り付けるための固定部品である。また、ブッシュ４３、５３は、連結部３６に比べて負荷荷重が大きい連結部３６、３７に設けてある。連結部３５、３６には油給脂口４５が、連結部３７には油給脂口５５が設けられている。
【００３９】
図３には、８輪の索輪８の回転中心が同一水平面内にあるとして示したが、図2-1に示した索輪８でロープ７を受ける受索装置３は、８輪受け部材３３が水平面に対して傾斜した状態で受索装置取り付け部３０によって支柱２の水平部材１２に回動可能に取り付けられている。水平面に対する８輪受け部材３３の傾きは、支柱２に対する山頂側と山麓側に配置される支柱か、もしくはホイールの位置に応じて決まる。
【００４０】
上述したように本発明に用いる受索装置３は、８輪の索輪８を有し、２輪ずつ２輪受け部材３１に回転自在に取り付けられ、２輪受け部材３１は連結部３５により４輪受け部材３２に連結され、この４輪受け部材３２が山頂側と山麓側に一つずつ牽引方向に対して対称配置され、その中央部を連結部３６により８輪受け部材３３の両端に連結されて構成されていると共に連結部３５、３６に給脂口４５が設けられている。このような構成にすると、ロープ７の傾斜に対応させて８輪の索輪８に加わる荷重を均一とすることができ、かつ各連結部における各部材同士の回動を滑らかにすることができるので好ましい。
【００４１】
また、本発明に用いる受索装置３は、牽引方向中央を境として対称な８輪受け部材３３により受けられ、この８輪受け部材３３の中央部に８輪受け部材３３を支柱２の水平部材１２に対して傾斜可能に連結する連結部３７が設けてあると共に給脂口５５が設けられている。このようにするのが一箇所で受索装置３を支柱２の水平部材１２に回動可能に取り付けることができ、しかもロープ７の傾斜に対応させることができるから好ましい。また受索装置の種類はこの他に２輪、４輪、６輪、１０輪、１２輪等が使用される。
【００４２】
以上詳細に説明したようにスキーリフトの支柱２に設けて好適な受索装置３の各連結部３５、３６には給脂口４５が、連結部３７には給脂口５５が設けてられているが、この給脂口４５、５５は、各連結部３５、３６、３７に形成された隙間から洩れだし、受索装置３の下方に滴下した分のグリースなどの油脂類を保守・点検時に補給するために設けられているものである。一般的に保守・点検時には、受索装置３で受けている各索輪８のゴム製の外輪の摩耗量を調べることも行い、摩耗量が許容量以上であれば当該索輪８を外して新品の索輪８と交換する作業も同時に行う。このような保守・点検作業は、スキーリフトの全部の支柱２に対して定期的に行うように決められている。
【００４３】
なお、上述したスキーリフトの支柱２において、搬器１の通過時に受索装置３で受けているロープ７から衣類に付着して汚れとなる汚れ物質が滴下する場合があるが、本発明に係るスキーリフトの支柱２によれば、搬器１を牽引するロープ７から支柱２に加わる荷重を増大せずに、搬器の通過時に支柱２近くを通るロープ７から滴下した衣類を汚す汚れ物質がその下方を通過する乗客に付着することを防止可能である。
【００４４】
また本発明は、上述した受索装置３を有する支柱２の他に、索輪８の下部で接触するロープ７を受ける圧索装置を有するスキーリフトの支柱、もしくは受索装置３と圧索装置の両方を有する支柱にも適用できる。前者の場合には、索輪８の下部で接触するロープ７を受ける圧索装置および／または受圧索装置で受けられたロープから衣類に付着して汚れとなる汚れ物質が滴下したときに受ける汚れ物質受け装置が設けられているスキーリフトの支柱とする。後者の場合には、受索装置３と圧索装置の両方および／または両方で受けられたロープから衣類に付着して汚れとなる汚れ物質が滴下したときに受ける汚れ物質受け装置が設けられているスキーリフトの支柱とする。
【図面の簡単な説明】
【００４５】
【図１】本発明の実施の形態に係るスキーリフトの支柱２を示す正面図である。
【図２−１】図１の支柱２を示す左側面図である。
【図２−２】本発明の実施の形態に係るスキーリフトの一つの支柱２に設けた汚れ物質受け装置４を示す斜視図である。
【図３】本発明の実施の形態に係るスキーリフトの支柱２に設けて好適な受索装置３の全体図である。
【図４】図３に示す受索装置３の分解図である。
【図５】図３に示す受索装置３の分解図である。
【図６−１】従来のスキーリフトの支柱１０２を示す概略図である。
【図６−２】従来のスキーリフトの他の支柱１０２を示す概略図である。
【符号の説明】
【００４６】
１  搬器
２  支柱
３  受索装置
３０  受索装置取り付け部
４  汚れ物質受け装置
４Ａ  汚れ物質通路
４Ｂ  貯留ピット
５  吊り下げ具
６  握索部
７  ロープ
８  索輪
９  牽引方向
１０  地面
１１  受け装置取り付けアーム
１２  水平部材
３１  ２輪受け部材
３２  ４輪受け部材
３３  ８輪受け部材
３４  内脱索防止部材
３５、３６、３７  連結部
３８  外脱索受け
４１、５１  外筒
４２  内筒
５２  軸
４３、５３  ブッシュ
４４、５４  六角ボルト
４５、５５  給脂口
５６  受索装置取り付けボルト
１０１  搬器
１０２  支柱
１０７  ロープ
１０８  索輪
１０９、１１０  ホイール
１１１  地面
【図１】
2005313668.tif 000003
【図２−１】
2005313668.tif 000004
【図２−２】
2005313668.tif 000005
【図３】
2005313668.tif 000006
【図４】
2005313668.tif 000007
【図５】
2005313668.tif 000008
【図６−１】
2005313668.tif 000009
【図６−２】
2005313668.tif 000010